(57)【要約】【課題】印刷シートの打ち抜かれるエリアに正確に切り込みを形成するための打抜き刃位置合わせマークを提供することを目的とするものである。【解決手段】印刷シートを打抜き装置で打ち抜く際に、印刷シートの打ち抜かれるエリアと打抜き刃との位置合わせを行うための打抜き刃の位置合わせマークであって、印刷シートには印刷シートの裁ち落としエリア内に印刷図柄同士の位置合わせを行うための、所定の面積を有し所定の形状を有する印刷位置合わせマークが印刷によって形成され、前記打抜き刃は、前記印刷位置合わせマークに対応する位置に、前記所定の形状の印刷位置合わせマークと同一形状の打抜き刃位置合わせマークを有し、前記打抜き刃による切込みが印刷シートの前記打ち抜かれるエリアに対し正しく形成されたときに、前記打抜き刃位置合わせマークは前記印刷位置合わせマーク上に重なった状態で形成される。【選択図】  図１
2014050925.tif 000002
【特許請求の範囲】
【請求項１】
印刷シートを打抜き装置で打ち抜く際に、印刷シートの打ち抜かれるエリアと打抜き刃との位置合わせを行うための打抜き刃の位置合わせマークであって、
印刷シートには印刷シートの裁ち落としエリア内に印刷図柄同士の位置合わせを行うための、所定の面積を有し所定の形状を有する印刷位置合わせマークが印刷によって形成され、
前記打抜き刃は、前記印刷位置合わせマークに対応する位置に、前記所定の形状の印刷位置合わせマークと同一形状の打抜き刃位置合わせマークを有し、
前記打抜き刃による切込みが印刷シートの前記打ち抜かれるエリアに対し正しく形成されたときに、前記打抜き刃位置合わせマークは前記印刷位置合わせマーク上に重なった状態で形成されることを特徴とする打抜き刃位置合わせマーク。
【請求項２】
請求項１に記載の打抜き刃位置合わせマークにおいて、
印刷シートは単層の紙基材で、印刷シートの打ち抜かれるエリアに形成された切り込みは、紙基材を貫通する状態で形成され、打抜き刃位置合わせマークは印刷シートを貫通しない状態で形成されることを特徴とする打抜き刃位置合わせマーク。
【請求項３】
請求項１に記載の打抜き刃位置合わせマークにおいて、
印刷シートは紙基材、粘着剤層又は擬似接着剤層、剥離基材からなる三層紙で、印刷は紙基材の表出面に行なわれ、印刷シートの打ち抜かれるエリアに形成された切込みは、紙と粘着剤層又は擬似接着剤層を貫通する状態で形成されることを特徴とする打抜き刃位置合わせマーク。
【発明の詳細な説明】
【技術分野】
【０００１】
本発明は、印刷シートの打ち抜かれるエリアを正確に打ち抜くための印刷物に対する打抜き刃の位置合わせマークに関する。
【背景技術】
【０００２】
従来は、印刷物に切込みを形成して打ち抜かれるエリアを正確に打ち抜く際に、印刷の位置合わせマークである十字マークに合わせるように切込みを形成し、位置合わせ精度を管理していた。
しかし、印刷による位置合わせマークに打抜き刃による切込みが形成されても、十字マークそのものが小さく、さらに、罫線で構成されているために目視では見え難く十分な位置精度管理が成されていなかった。
一方、抜き加工における各工程の抜き位置を目視で、合わす為のポイントがシート上に入っている「安心マーク」が提供されている（特許文献１参照）。
【先行技術文献】
【特許文献】
【０００３】
【特許文献１】特開２００９−１０７１０１号公報
【発明の概要】
【発明が解決しようとする課題】
【０００４】
特許文献１の発明による「安心マーク」によれば、抜き位置合わせが目視で容易に可能で、突発的に発生する不良品を目視で容易に発見でき、製造の段階で調整でき、不良品が良品中に混入しても検査工程で除去可能な安心マークを提供するとしている。しかし、特許文献１の発明は、印刷物の打ち抜き位置精度を高めるものではない。
本発明は、印刷シートの打ち抜かれるエリアを正確に打ち抜くために、印刷シートの打ち抜かれるエリア（打ち抜かれる図柄周辺）に正確に切込みを形成するための打抜き刃位置合わせマークを提供することを目的とするものである。
【課題を解決するための手段】
【０００５】
前記課題の目的を達成するために本発明の打抜き刃位置合わせマークの第一の態様は、
印刷シートを打抜き装置で打ち抜く際に、印刷シートの打ち抜かれるエリアと打抜き刃との位置合わせを行うための打抜き刃の位置合わせマークであって、印刷シートには印刷シートの裁ち落としエリア内に印刷図柄同士の位置合わせを行うための、所定の面積を有し所定の形状を有する印刷位置合わせマークが印刷によって形成され、前記打抜き刃は、前記印刷位置合わせマークに対応する位置に、前記所定の形状の印刷位置合わせマークと同一形状の打抜き刃位置合わせマークを有し、前記打抜き刃による切込みが印刷シートの前記打ち抜かれるエリアに対し正しく形成されたときに、前記打抜き刃位置合わせマークは前記印刷位置合わせマーク上に重なった状態で形成されることを特徴とするものである。
【０００６】
また、第二の態様は、第一の態様において、印刷シートは単層の紙基材で、印刷シートの打ち抜かれるエリアに形成された切込みは、紙基材を貫通する状態で形成され、打抜き刃位置合わせマークは印刷シートを貫通しない状態で形成されることを特徴とするものである。
【０００７】
また、第三の態様は、第一の態様において、印刷シートは紙基材、粘着剤層又は擬似接着剤層、剥離基材からなる三層紙で、印刷は紙基材の表出面に行なわれ、印刷シートの打ち抜かれるエリア（打ち抜かれる図柄周辺）に形成された切込みは、紙と粘着剤層又は擬似接着剤層を貫通する状態で形成されることを特徴とするものである。
【発明の効果】
【０００８】
１）本発明の打抜き刃位置合わせマークのように、印刷シートを打抜き装置で打ち抜く際に、印刷シートの打ち抜かれるエリアと打抜き刃との位置合わせを行うための打抜き刃の位置合わせマークであって、印刷シートには印刷シートの裁ち落としエリア内に印刷図柄同士の位置合わせを行うための、所定の面積を有し所定の形状を有する印刷位置合わせマークが印刷によって形成され、前記打抜き刃は、前記印刷位置合わせマークに対応する位置に、前記所定の形状の印刷位置合わせマークと同一形状の打抜き刃位置合わせマークを有し、前記打抜き刃による切込みが印刷シートの前記打ち抜かれるエリアに対し正しく形成されたときに、前記打抜き刃位置合わせマークは前記印刷位置合わせマーク上に重なった状態で形成されることにより、打抜き刃位置合わせマーク自体が「所定の面積を有し所定の形状を有する」ことによって位置合わせが見え易くなり、また、曲がりなどが発生したときに判り易くなった。
２）また、印刷シートは単層の紙基材で、印刷シートの打ち抜かれるエリアに形成された切込みは、紙基材を貫通する状態で形成され、打抜き刃位置合わせマークは印刷シートを貫通しない状態で形成されることによって、また、印刷シートは紙基材、粘着剤層又は擬似接着剤層、剥離基材からなる三層紙で、印刷は紙基材の表出面に行なわれ、印刷シートの打ち抜かれるエリア（打ち抜かれる図柄周辺）に形成された切込みは、紙と粘着剤層又は擬似接着剤層を貫通する状態で形成されること打抜き刃位置合わせマークは印刷シートに残されるため、打ち抜かれるエリアが印刷シートから「外された」後でも必要に応じて「切込み」の位置精度を確認することができる。
【図面の簡単な説明】
【０００９】
【図１】本実施形態の打抜き刃位置合わせマークの一例について説明するための図である。
【図２】本実施形態の打抜き刃位置合わせマークの他の一例について説明するための図である。
【図３】図１の印刷シートを打ち抜く抜き型について説明するための図である。
【図４】本実施形態の打抜き刃位置合わせマークの一例について説明するための図である。
【図５】図１のＡ−Ａ線断面について説明するための図である。
【発明を実施するための形態】
【００１０】
図１を参照して、本実施形態の打抜き刃位置合わせマークの一例について説明する。
図１は、印刷シート１の表出面に花の図柄が印刷され、花の図柄の境界から内側が打ち抜き刃によって打ち抜かれる「打ち抜かれるエリアに印刷された図柄２」になっている。
打ち抜き刃によって打ち抜かれる、打ち抜かれるエリアに印刷された図柄２の境界部分に打ち抜かれるエリアの切込み７が形成される。
【００１１】
また、断裁仕上げマーク６と印刷シート１の外周に囲まれた、印刷シートの裁ち落としエリア内には、印刷図柄同士の位置合わせを行うための印刷位置合わせマーク５が印刷によって形成されている。
印刷位置合わせマーク５は、図４（ａ）に拡大表示しているように、印刷位置合わせマークの十字マーク５１と所定の面積を有し所定の形状を有する印刷位置合わせマークの打抜き刃との位置合わせマーク（四隅ラウンドコーナ付きの正方形状の印刷位置合わせマーク）５２が印刷されている。この印刷位置合わせマークの打抜き刃との位置合わせマーク５２に重なる（食い込む）ように、打抜き刃位置合わせマーク７１が切込みによって形成される。
【００１２】
図３は、図１の印刷シートを打ち抜く抜き型の平面図である。
抜き型８００には、図１に示す印刷シート１の印刷位置合わせマーク５に対応する位置に、前述の印刷位置合わせマークの打抜き刃との位置合わせマーク５２（所定の形状の印刷位置合わせマーク）と同一形状の打抜き刃位置合わせマークの打抜き刃８１が抜き型８００の左右下側に形成されている。
打抜き刃位置合わせマークの打抜き刃８１は、図１に示した印刷シート１の断裁仕上げマーク６と印刷シート１の外周に囲まれた印刷シートの裁ち落としエリア、内の印刷図柄同士の位置合わせを行うための印刷位置合わせマーク５に対応している。
【００１３】
図１、図３において、抜き型８００の打ち抜かれるエリアの打抜き刃８による打ち抜かれるエリアの切込み７が、印刷シート１の打ち抜かれるエリアに印刷された図柄２に対し正しく形成されたときに、打抜き刃位置合わせマーク７１は印刷位置合わせマーク５の上に重なった状態で（印刷された印刷位置合わせマーク５の罫線に食い込むように）形成される。
【００１４】
図２は、本実施形態の打抜き刃位置合わせマークの他の一例である。
図２に示す、印刷シート１０に印刷された「打ち抜かれるエリアに印刷された図柄４」の例は、例えば、製品に貼付される製品番号に当り、製品に貼付されるシールなどに使用される。図２に示すように同一番号のものは無く、製品に不具合が発見され、問い合わせが有った場合に、どのロットの製品であるか追跡するための重要な番号となる。
「打ち抜かれるエリアに印刷された図柄４」の外側に枠４０が表示されているがこのような「打ち抜かれるエリアに印刷された図柄４」は最も打ち抜き精度を要求される。
【００１５】
例えば、打ち抜かれるエリアの切込み７が正しく形成されるべき位置から下に０．５ｍｍずれたとすると、打ち抜かれるエリアの切込み７によって切り取られたシールの枠４０の上下の余白が、上側が０．５ｍｍ狭く、下側が１ｍｍ広く仕上がってしまう。
このように、シールの品質と不具合品となってしまった製品の品質と重なった場合は、製品の品質がシールの品質と同等に評価され、抜き型による打ち抜き精度は重要な品質管理要素となる。
図示しないが、電卓などに使用されるキーボードパネルなどは高度な打ち抜き精度が要求され、本発明の打抜き刃位置合わせマークが好適に利用される。
【００１６】
図４を参照して、本実施形態の打抜き刃位置合わせマークの一例について説明する。
図４（ａ）に示す印刷位置合わせマーク５は、印刷位置合わせマークの十字マーク５１を四隅ラウンドコーナ付きの正方形状「所定の面積を有し所定の形状を有する」の印刷位置合わせマークである。印刷位置合わせマークの十字マーク５１を囲んだ四隅ラウンドコーナ付きの正方形状の印刷位置合わせマークの打抜き刃との位置合わせマーク５２は、図４（ｃ）の抜き型による打抜き刃位置合わせマーク７１に対応する形状になっている。また、図４（ｂ）は、図４（ａ）の印刷位置合わせマークの十字マーク５１ｂが正方形状の印刷位置合わせマークの打抜き刃との位置合わせマーク５２の外にはみ出したパターンの印刷位置合わせマーク５ｂである。
【００１７】
上述の、印刷位置合わせマーク５、５ｂは目視で位置合わせするために、位置合わせマーク自体が大きい方が好都合なわけであるが、図１で説明した断裁仕上げマークと印刷シート１の外周に囲まれた裁ち落としエリア内に収めることが前提になる。したがって、印刷位置合わせマークの打抜き刃との位置合わせマーク５２の大きさは、狭い方の一辺が１０ｍｍ程度となってしまう。印刷シートの一辺に這うように形成させた場合は、長辺は１０〜３０ｍｍ程度まで広げることも可能である。また、印刷位置合わせマークの打抜き刃との位置合わせマーク５２は、正方形、長方形に限らず断裁仕上げマークと印刷シート１の外周に囲まれた裁ち落としエリア内に収まればどのような形状でもよい。
【００１８】
図５を参照して、図１のＡ−Ａ線断面について説明する。
図５に示す例は、印刷シート１の基材が、図示しないが上面から紙基材、粘着剤層又は擬似接着剤層、剥離基材が順次積層された三層紙の例である。
文字３や打ち抜かれるエリアに印刷された図柄２は、紙基材の表出面に印刷され、印刷シートの打ち抜かれるエリアに形成された打ち抜かれるエリアの切込み７は、紙と粘着剤層又は擬似接着剤層を貫通する状態で形成される。
また、打抜き刃位置合わせマーク７１も同様、紙と粘着剤層又は擬似接着剤層を貫通する状態で形成される。
【００１９】
抜き型について説明する。
抜き型は、打ち抜き装置に合わせて用意される。例えば、シリンダで打ち抜かれる場合は、シリンダの周囲にフレキシブルな打ち抜き刃を貼り込み、抜き型を作製する。近年では、シリンダの表層を打ち抜きパターン（打ち抜かれるエリアに印刷された図柄）に合わせ、エッチングによって打ち抜き刃を作製し抜き型とする。後者のエッチングによる打ち抜き刃は、刃の高さの精度が得られるばかりか、微細なパターンの打ち抜きを可能とする。
シリンダによる打ち抜き刃は、枚葉輪転印刷装置を使用することによってシート状の印刷物に対しても対応できる。
一方、平坦な板状の基板に溝を形成し、フレキシブルな帯状の打ち抜き刃を嵌めこんで抜き型を作製する場合がある（例えば、図３参照）。このような打ち抜き装置では、厚さが比較的厚い基材の印刷シートに好適に対応できるが、前記微細なパターンの打ち抜きには向いていない。
【産業上の利用可能性】
【００２０】
印刷シートの打ち抜かれるエリアを正確に打ち抜くための印刷物に対する打抜き刃の位置合わせマークに利用できる。
【符号の説明】
【００２１】
１、１０  印刷シート
２、４  打ち抜かれるエリア（打ち抜かれるエリアに印刷された図柄ともいう）
３      文字
５、５ｂ  印刷位置合わせマーク
６      断裁仕上げマーク
７      打ち抜かれるエリアの切込み（打ち抜かれるエリアに形成された切込みともいう）
８      打ち抜かれるエリアの打抜き刃
４０    枠
５１、５１ｂ  印刷位置合わせマークの十字マーク
５２    印刷位置合わせマークの打抜き刃との位置合わせマーク
７１    打抜き刃位置合わせマーク
８１    打抜き刃位置合わせマークの打抜き刃
８００  抜き型
【図１】
2014050925.tif 000003
【図２】
2014050925.tif 000004
【図３】
2014050925.tif 000005
【図４】
2014050925.tif 000006
【図５】
2014050925.tif 000007